(57)【要約】【課題】リワーク効率を向上することができ、回収コストを低減することが可能な表示装置を提供することを目的とする。【解決手段】  液晶表示装置は、一対の基板間に液晶層を保持した光透過型の液晶表示パネル１０００と、液晶表示パネル１００を照明するバックライトユニット２００と、液晶表示パネル１００とバックライトユニット２００とを固定する両面粘着テープ６００と、を備えている。両面粘着テープ６００の少なくとも一方の面の粘着力は、０．５Ｎ／ｃｍ以下であることを特徴とする。【選択図】      図１
2006106417.tif 000002
【特許請求の範囲】
【請求項１】
一対の基板間に液晶層を保持した光透過型の液晶表示パネルと、
前記液晶表示パネルを照明する面光源装置と、
前記液晶表示パネルと前記面光源装置とを固定する両面粘着テープと、を備え、
前記両面粘着テープの少なくとも一方の面の粘着力は、０．５Ｎ／ｃｍ以下であることを特徴とする表示装置。
【請求項２】
前記両面粘着テープの少なくとも一方の面の粘着力は、０．０５Ｎ／ｃｍ以上であることを特徴とする請求項１に記載の表示装置。
【請求項３】
前記両面粘着テープは、前記液晶表示パネルの４辺のうち、少なくとも１辺に設けられたことを特徴とする請求項１に記載の表示装置。
【請求項４】
前記面光源装置は、光源部と、前記光源部から放射された光を前記液晶表示パネルに導く導光体と、これら光源部及び導光体を保持する矩形枠状のフレームと、を備え、
前記両面粘着テープは、前記フレームと前記液晶表示パネルとの間に介在されたことを特徴とする請求項１に記載の表示装置。
【発明の詳細な説明】
【技術分野】
【０００１】
この発明は、表示装置に係り、特に、面光源装置からの照明光を選択的に透過することによって画像を表示する透過型液晶表示装置に関する。
【背景技術】
【０００２】
表示装置として例えば液晶表示装置は、透過型の液晶表示パネルを背面から照明する面光源装置を備えている。液晶表示パネルは、光透過性を有する一対の基板と、これらの間に保持された液晶層とで構成されている。面光源装置は、一側端面を入射面とし一主面を出射面とする導光体、導光体の入射面に対向して配置された光源部、光源部を囲むように配置されたリフレクタなどによって構成されている。
【０００３】
これら液晶表示パネルと面光源装置とを固定する技術としては、例えば特許文献１によれば、液晶表示パネルの周縁と面光源装置を収容したフレームとをエポキシ系樹脂などによってシールし、両者の間を密封するものがある（例えば、特許文献１参照。）。
【特許文献１】特開平１１−０６４８４４号公報
【発明の開示】
【発明が解決しようとする課題】
【０００４】
このようにモジュール化した液晶表示装置において、液晶表示パネルと面光源装置との間に異物が侵入してしまった場合や、液晶表示パネル及び面光源装置の一方が十分な性能を達成できなかった場合などは、液晶表示装置を回収し、リワークすることが考えられる。
【０００５】
しかしながら、液晶表示パネルと面光源装置とを強固に固定してしまった場合、回収した際に、液晶表示パネルと面光源装置とを分離するのに時間がかかってしまう。また、液晶表示パネルと面光源装置とを分離する際に大きな応力が加わってしまうと、両者を破損してしまうおそれがある。このため、回収コストの増大を招くおそれがある。
【０００６】
この発明は、上述した問題点に鑑みなされたものであって、その目的は、リワーク効率を向上することができ、回収コストを低減することが可能な表示装置を提供することにある。
【課題を解決するための手段】
【０００７】
この発明の様態による表示装置は、
一対の基板間に液晶層を保持した光透過型の液晶表示パネルと、
前記液晶表示パネルを照明する面光源装置と、
前記液晶表示パネルと前記面光源装置とを固定する両面粘着テープと、を備え、
前記両面粘着テープの少なくとも一方の面の粘着力は、０．５Ｎ／ｃｍ以下であることを特徴とする。
【発明の効果】
【０００８】
この発明によれば、リワーク効率を向上することができ、回収コストを低減することが可能な表示装置を提供することができる。
【発明を実施するための最良の形態】
【０００９】
以下、この発明の一実施の形態に係る表示装置について図面を参照して説明する。ここでは、表示装置の一例として、面光源装置たとえばバックライトユニットと、バックライトユニットからのバックライト光を選択的に透過して画像を表示する透過型液晶表示パネルとを備えた液晶表示装置について説明する。
【００１０】
すなわち、液晶表示装置は、図１に示すように、光透過型の液晶表示パネル１００と、この液晶表示パネル１００を照明するバックライトユニット２００と、を備えている。また、液晶表示装置は、矩形枠状のベゼルカバー３００を備えている。つまり、液晶表示パネル１００は、バックライトユニット２００とベゼルカバー３００との間に配置されている。さらに、液晶表示装置は、液晶表示パネル１００の駆動を制御する制御回路基板４００を備えている。液晶表示パネル１００と制御回路基板４００とは、フレキシブルプリント基板５００を介して電気的に接続されている。
【００１１】
液晶表示パネル１００は、一対の基板間に液晶層を保持して構成されている。すなわち、液晶表示パネル１００は、矩形状のアレイ基板１１０及び対向基板１２０、これらの一対の基板間に封入された液晶層１３０を備えている。アレイ基板１１０と対向基板１２０とは、シール材１４０を介して貼り合わせられている。画像を表示する表示エリアは、シール材１４０で囲まれた内側に形成され、マトリクス状に配置された複数の画素ＰＸを備えて構成されている。
【００１２】
アレイ基板１１０は、複数の走査線１１１と、複数の信号線１１２、画素ＰＸ毎に配置されたスイッチング素子１１３、各スイッチング素子１１３に接続された画素電極１１４などを備えている。
【００１３】
各走査線１１１は、画素ＰＸの行方向に延出されている。各信号線１１２は、画素ＰＸの列方向に延出され、絶縁膜を介して各走査線１１１と互いに交差するように配置されている。各スイッチング素子１１３は、走査線１１１と信号線１１２との交差部近傍に配置されている。このスイッチング素子１１３は、例えば薄膜トランジスタ（ＴＦＴ）であり、アモルファスシリコン膜またはポリシリコン膜によって形成された半導体層を備えている。スイッチング素子１１３のゲート電極Ｇは、走査線１１１に電気的に接続されている。スイッチング素子１１３のドレイン電極Ｄは、信号線１１２に電気的に接続されている。スイッチング素子１１３のソース電極Ｓは、画素電極１１４に電気的に接続されている。画素電極１１４は、光透過性を有する導電性部材、例えばＩＴＯ（インジウム−ティン−オキサイド）によって形成されている。
【００１４】
対向基板１２０は、全画素ＰＸの画素電極１１４と対向するように配置された対向電極１２１などを備えている。この対向電極１２１は、光透過性を有する導電性部材、例えばＩＴＯ（インジウム−ティン−オキサイド）によって形成されている。
【００１５】
なお、カラー表示タイプの液晶表示装置では、液晶表示パネル１００は、複数色例えば赤（Ｒ）、緑（Ｇ）、青（Ｂ）の色画素を有している。すなわち、赤色画素は赤色波長の光を透過する赤色カラーフィルタを備え、緑色画素は緑色波長の光を透過する緑色カラーフィルタを備え、青色画素は青色波長の光を透過する青色カラーフィルタを備えている。これらカラーフィルタは、アレイ基板１１０または対向基板１２０の主面に配置されている。
【００１６】
また、図２に示すように、液晶表示パネル１００は、その両外面に偏光板ＰＬ１及びＰＬ２を備えている。すなわち、アレイ基板１１０の外面（バックライトユニット２００と対向する面）には、偏光板ＰＬ１が配置されている。また、対向基板１２０の外面（ベゼルカバー３００によって覆われる面）には、偏光板ＰＬ２が配置されている。
【００１７】
バックライトユニット２００は、図１及び図２に示すように、保持フレーム２０１、光源部２０２、導光体２０３、複数のシート部材例えば３枚の光学シート２０４、２０５、２０６などを備えて構成されている。  
保持フレーム２０１は、樹脂などによってほぼ矩形枠状に形成されている。この保持フレーム２０１は、光源部２０２、導光体２０３、及び、複数の光学シート２０４、２０５、２０６を保持可能な凹所を規定する第１保持面２０１Ａを備えている。また、この保持フレーム２０１は、液晶表示パネル１００を保持可能な凹所を規定する第２保持面２０１Ｂを備えている。これら第１保持面２０１Ａ及び第２保持面２０１Ｂは、矩形枠状に形成されている。
【００１８】
導光体２０３は、光透過性を有する樹脂などによって略矩形状に形成されている。この導光体２０３は、その周縁部が保持フレーム２０１の第１保持面２０１Ａによって保持されている。なお、導光体２０３は、その一端に肉薄部を有するとともに肉薄部に対向する他端に肉厚部を有する楔型のものや、均一な肉厚を有する平板型のものなどがあり、いずれを採用しても良い。
【００１９】
光学シート２０４は、導光体２０３の一主面（裏面）２０３Ａ側に配置されている。この光学シート２０４は、導光体２０３の一主面２０３Ａ側から漏れた光を再び導光体２０３に向けて反射する反射シートである。光学シート２０５及び２０６は、導光体２０３の一主面（表面）２０３Ｂ側に積層されている。これら光学シート２０５及び２０６は、一主面２０３Ｂから出射された光に対して所定の光学特性を与えるものである。例えば、光学シート２０５は、一主面２０３Ｂから出射された光を拡散する拡散シートである。また、光学シート２０６は、例えば一主面２０３Ｂから出射された光を集束するプリズムシートである。
【００２０】
光源部２０２は、管状光源２１０、リフレクタ２２０などを備えている。管状光源２１０は、導光体２０３の一端面２０３Ｃに沿って延在している。リフレクタ２２０は、管状光源２１０を囲むように配置され、管状光源２１０から出射された出射光を反射する。このリフレクタ２２０は、例えばほぼＵ字形状の断面を有している。
【００２１】
導光体２０３における一端面２０３Ｃは、管状光源２１０に対向して配置され、管状光源２１０から出射された出射光が入射する入射面として機能する。また、導光体２０３における入射面２０３Ｃに交差する一主面２０３Ｂは、入射面２０３Ｃから入射した入射光を出射する出射面として機能する。
【００２２】
上述したような構成の液晶表示パネル１００とバックライトユニット２００とは、両面粘着テープ６００によって固定されている。すなわち、略矩形状の液晶表示パネル１００は、保持フレーム２０１の第２保持面２０１Ｂによって規定された略矩形状の凹所２００Ａに収容されている。両面粘着テープ６００の一方の面は、第２保持面２０１Ｂに接着されるとともに、他方の面は、液晶表示パネル１００の周縁部（より具体的にはアレイ基板１１０の周縁部）に接着されている。
【００２３】
この実施の形態では、図３に示すように、両面粘着テープ６００は、略矩形状の液晶表示パネル１００（またはバックライトユニット２００）の４辺にそれぞれ設けられている。つまり、液晶表示パネル１００の４辺と、バックライトユニット２００を構成する保持フレーム２０１の４辺とは、両者の間に介在された両面粘着テープにより固定されている。
【００２４】
このような構成の液晶表示装置においては、動作時、管状光源２１０から出射された主な出射光は、導光体２０３の入射面２０３Ｃから直接導光体２０３の内部に入射し、一部の出射光は、リフレクタ２２０によって反射された後、入射面２０３Ｃから導光体２０３の内部に入射する。
【００２５】
導光体２０３に直接入射した直接光及びリフレクタ２２０を介して反射された反射光は、導光体２０３に入射した後に、導光体２０３の内部を全体にわたって伝播する。導光体２０３の一主面２０３Ａ側から漏れた光は、光学シート２０４によって反射され、導光体２０３の内部に再び入射する。
【００２６】
そして、導光体２０３の内部を伝搬した光は、導光体２０３の出射面２０３Ｂから出射される。導光体２０３の出射面２０３Ｂから出射された出射光は、光学シート２０５及び２０６によって所定の光学特性が付与された後に、液晶表示パネル１００の全面に導かれる。液晶表示パネル１００では、画素ＰＸ毎に導かれた光の透過・非透過が選択的に制御され、画像が表示される。
【００２７】
ところで、両面粘着テープ６００の少なくとも一方の面の粘着力は、０．５Ｎ／ｃｍ以下に設定されている。なお、ここでの粘着力とは、ＪＩＳ  Ｚ  ０１０９によるものであり、粘着力試験装置にて測定可能である。両面粘着テープ６００の粘着力が０．５Ｎ／ｃｍを上回る場合、液晶表示パネル１００とバックライトユニット２００とを分離する際に少なくとも一方を破損する可能性が極めて高くなるとともに、両者を分離するのに要する時間が長くなり、リワーク効率が低下してしまう。これに対して、両面粘着テープ６００の粘着力が０．５Ｎ／ｃｍ以下に設定された場合、液晶表示パネル１００とバックライトユニット２００とを容易に分離することが可能となり、両者の破損を回避することができるとともに、リワーク効率が向上する。
【００２８】
また、両面粘着テープ６００の少なくとも一方の面の粘着力は、０．０５Ｎ／ｃｍ以上に設定されている。すなわち、粘着力が小さいほど液晶表示パネル１００とバックライトユニット２００とを容易に分離することが可能であるが、０．０５Ｎ／ｃｍを下回る場合は両者が剥がれやすくなってしまい、特に外部からの衝撃に対して弱く、相対的な位置関係にズレを生じてしまう。このため、両面粘着テープ６００の粘着力が０．０５Ｎ／ｃｍ以上であれば、衝撃が加わっても両者の剥がれを防止することが可能である。
【００２９】
つまり、本願が着目したリワーク効率を向上する目的に対しては、両面粘着テープ６００の粘着力が０．５Ｎ／ｃｍ以下であれば十分であるが、これに加えて、耐衝撃性を向上するためには、両面粘着テープ６００の粘着力が０．０５Ｎ／ｃｍ以上であることが望ましい。
【００３０】
さらに、上述したような粘着力を有する両面粘着テープ６００は、液晶表示パネル１００（またはバックライトユニット２００）の４辺のうち、少なくとも１辺に設けられていれば良い。すなわち、液晶表示パネル１００の全周に亘って、０．５Ｎ／ｃｍを上回る粘着力の両面粘着テープを用いて固定した場合、いずれの辺も強固に固定されてしまう。これに対して、少なくとも１辺の両面粘着テープ６００の粘着力が０．５Ｎ／ｃｍ以下であれば、この辺を起点として両者を分離することが可能となる。
【００３１】
ここで、実施例及び比較例について説明する。  
（実施例１）  ４辺のうちの１辺に設けた両面粘着テープ６００の粘着力が０．１Ｎ／ｃｍである液晶表示装置について、液晶表示パネル１００とバックライトユニット２００とを分離するのに要する時間は、６０秒であった。
【００３２】
（実施例２）  ４辺のうちの２辺に設けた両面粘着テープ６００の粘着力が０．１Ｎ／ｃｍである液晶表示装置について、液晶表示パネル１００とバックライトユニット２００とを分離するのに要する時間は、３０秒であった。
【００３３】
（実施例３）  ４辺のうちの３辺に設けた両面粘着テープ６００の粘着力が０．１Ｎ／ｃｍである液晶表示装置について、液晶表示パネル１００とバックライトユニット２００とを分離するのに要する時間は、１０秒であった。
【００３４】
（実施例４）  ４辺のうちの４辺に設けた両面粘着テープ６００の粘着力が０．１Ｎ／ｃｍである液晶表示装置について、液晶表示パネル１００とバックライトユニット２００とを分離するのに要する時間は、３秒であった。
【００３５】
（比較例）  ４辺に設けた両面粘着テープ６００の粘着力が１２Ｎ／ｃｍである液晶表示装置について、液晶表示パネル１００とバックライトユニット２００とを分離するのに要する時間は、１２０秒であった。
【００３６】
以上説明したように、この実施の形態に係る液晶表示装置によれば、光透過型の液晶表示パネルとバックライトユニットとを固定する両面粘着テープは、その少なくとも一方の面の粘着力が０．５Ｎ／ｃｍ以下に設定されている。このような粘着力を有する両面粘着テープは容易に剥がすことが可能であるため、液晶表示装置をリワークする際、液晶表示パネルとバックライトユニットとを容易に分離することが可能となる。
【００３７】
これにより、液晶表示パネル及びバックライトユニットを回収するのに要する時間を大幅に短縮することができる。また、液晶表示パネル及びバックライトユニットの分離の際に、過大な応力を加える必要がなくなり、両者の破損を防止することができる。したがって、リワーク効率を向上することが可能となるとともに、回収コストを低減することが可能となる。
【００３８】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００３９】
例えば、両面粘着テープは、図３に示したように、１辺に沿って延在している必要はなく、１辺上に島状に配置されても良い。また、両面粘着テープは、液晶表示パネル（またはバックライトユニット）の全周に亘って配置されても良い。
【図面の簡単な説明】
【００４０】
【図１】図１は、この発明の一実施の形態に係る透過型液晶表示装置の構造を概略的に示す図である。
【図２】図２は、図１に示した液晶表示装置の断面構造を概略的に示す図である。
【図３】図３は、両面粘着テープのレイアウト例を示す図である。
【符号の説明】
【００４１】
１００…液晶表示パネル、２００…面光源装置、２００Ａ…凹所、２０１…保持フレーム、２０１Ａ…第１保持面、２０１Ｂ…第２保持面、２０２…光源部、２０３…導光体、２０３Ｂ…出射面、２０３Ｃ…入射面、２０４…光学シート、２０５…光学シート、２０６…光学シート、２１０…管状光源、２２０…リフレクタ、３００…ベゼルカバー、４００…制御回路基板、６００…両面粘着テープ
【図１】
2006106417.tif 000003
【図２】
2006106417.tif 000004
【図３】
2006106417.tif 000005